(57)【要約】【課題】落ち葉、枯れ枝、紙片等のゴミが雨水と共に軒樋に流入することを防ぎ、雨水のみをスムースに排水することのできる軒樋ゴミ除け装置を提供する。【解決手段】軒樋吊具１の吊具本体１１の上面に立設される支持体２と該支持体２に着脱自在に取り付けられるゴミ除け部３とからなる軒樋のゴミ除け装置であって、上記ゴミ除け部３はゴミ除けカバー３１と雨水透過体３２とからなり、該雨水透過体３２は上記ゴミ除けカバー３１の屋外側端部３１１から延設され、軒樋前耳部７１に架設されるとともに、透水手段を有してなる軒樋ゴミ除け装置Ａ。【選択図】図２
2009257010.tif 000002
【特許請求の範囲】
【請求項１】
軒樋吊具の吊具本体の上面に立設される支持体と該支持体に着脱自在に取り付けられるゴミ除け部とからなる軒樋のゴミ除け装置であって、上記ゴミ除け部はゴミ除けカバーと雨水透過体とからなり、該雨水透過体は上記ゴミ除けカバーの屋外側端部から延設され、軒樋前耳部に架設されるとともに、透水手段を有してなる軒樋ゴミ除け装置。
【請求項２】
上記ゴミ除け部を構成する雨水透過体はゴミ除けカバーの屋外側端部から着脱自在に延設され、軒樋前耳部に架設されてなる請求項１に記載の軒樋ゴミ除け装置。
【請求項３】
上記雨水透過体に設けられる透水手段が透孔である請求項１に記載の軒樋ゴミ除け装置。
【請求項４】
上記雨水透過体に設けられる透水手段が網目である請求項１に記載の軒樋ゴミ除け装置。
【請求項５】
上記網目が弾性樹脂からなるプラスチック板を加工して設けられたものである請求項４に記載の軒樋ゴミ除け装置。
【発明の詳細な説明】
【技術分野】
【０００１】
本願発明は、軒樋に取り付けられ、軒樋に直接降り掛かる雨水、あるいは屋根に降り掛かり、屋根から流下する雨水に同伴する落ち葉、枯れ枝、紙片等のゴミが軒樋に流入することを防止する軒樋ゴミ除け装置に関するものである。
【背景技術】
【０００２】
軒樋に直接降り掛かる雨水、あるいは建物の屋根に降った雨水は、軒先に取り付けられた軒樋に流れ込み、集水器から竪樋等の排水経路を経て排出される。通常、雨水は上記のようにして排水されるが、上記雨水に落ち葉、枯れ枝、紙片等のゴミが混入すると該同伴したゴミは集水器を詰まらせて雨水がスムースに竪樋に流下しなくなり、円滑な排水を妨げる。
【０００３】
その結果、軒樋内に溢れた雨水は軒樋の屋外側側壁や屋内側側壁を越えて垂れ落ち、甚だしい場合は鼻隠し板側に回り込み、鼻隠し板を損傷させる原因ともなる。
【０００４】
このような問題を解決するため、従来、種々の技術が開示されている。例えば、特開２００６−１４４２６２号公報には、その図１、図２に示されているように、下側に軒樋が取り付けられる吊具本体と、吊具本体から上側に突出して設けた支持体とを有してなり、この支持体に落葉除けカバーを取り付けるための被結合部を設けた軒樋吊具において、落葉除けカバーがその勾配が異なって取り付けられる複数の被結合部を支持体の上端に軒先に沿う方向に並べて段違いに設け、複数の被結合部から落葉除けカバーを取り付ける被結合部を選択し、この被結合部よりも高い位置にある被結合部を切り取り除去して、前記選択した被結合部に落葉除けカバーを取り付けるようにした軒樋吊具が記載されている。
【０００５】
上記のように構成することにより、被結合部が取り付け位置の高い被結合部ほど勾配が大きくなっているため、いずれの勾配の被結合部に落葉除けカバーを取り付けた場合でも、落葉除けカバーと軒樋との間隔が一定になるようにされている。そして、高い位置に勾配の低い被結合部を設けたために、落葉除けカバーと軒樋との間隔が開きすぎ、落葉除けカバー上面を流れ落ちた雨水が軒樋でうまく受けられなかったり、逆に低い位置に勾配の高い被結合部を設けたために落葉除けカバーと軒樋の間がなくなり、軒樋に落葉や雪が堆積してしまうことを防ぐことができるとの効果が述べられている。
【特許文献１】特開２００６−１４４２６２号公報
【発明の開示】
【発明が解決しようとする課題】
【０００６】
上記したように、特許文献１に記載の軒樋吊具は、複数の被結合部に落葉除けカバーをその勾配を異ならせて取り付け可能とし、吊具本体に立設される支持体の上端に軒先に沿う方向に並べて段違いに設けられてなるため、構造が複雑となり金型費等、製造コストが割高になるという問題がある。また、複数の被結合部から落葉除けカバーを取り付ける被結合部を選択し、この被結合部よりも高い位置にある被結合部を切り取り除去して、前記選択した被結合部に落葉除けカバーを取り付ける必要があり、作業性が悪いという問題もある。
【０００７】
本願発明は、上記背景技術に鑑みてなしたものであり、その目的は、落ち葉、枯れ枝、紙片等のゴミが雨水と共に軒樋に流入することを防ぎ、雨水のみを透して、軒樋集水器を詰まらせることを防止し、スムースに排水することのできる軒樋ゴミ除け装置を提供することである。
【課題を解決するための手段】
【０００８】
上記課題を解決するために、本願請求項１記載の発明に係る軒樋ゴミ除け装置は、軒樋吊具の吊具本体の上面に立設される支持体と該支持体に着脱自在に取り付けられるゴミ除け部とからなる軒樋のゴミ除け装置であって、上記ゴミ除け部はゴミ除けカバーと雨水透過体とからなり、該雨水透過体は上記ゴミ除けカバーの屋外側端部から延設され、軒樋前耳部に架設されるとともに、透水手段を有してなることを特徴としている。
【０００９】
本願請求項２記載の発明に係る軒樋ゴミ除け装置は、上記請求項１記載の軒樋ゴミ除け装置において、上記ゴミ除け部を構成する雨水透過体はゴミ除けカバーの屋外側端部から着脱自在に延設され、軒樋前耳部に架設されてなることを特徴としている。
【００１０】
本願請求項３記載の発明に係る軒樋ゴミ除け装置は、上記請求項１記載の軒樋ゴミ除け装置において、上記雨水透過体に設けられる透水手段が透孔であることを特徴としている。
【００１１】
本願請求項４記載の発明に係る軒樋ゴミ除け装置は、上記請求項１記載の軒樋ゴミ除け装置において、上記雨水透過体に設けられる透水手段が網目であることを特徴としている。
【００１２】
本願請求項５記載の発明に係る軒樋ゴミ除け装置は、上記請求項４記載の軒樋ゴミ除け装置において上記網目が弾性樹脂からなるプラスチック板を加工して設けられたものであることを特徴としている。弾性樹脂としては、例えば、ポリプロピレン、ポリエチレン、ポリ塩化ビニル樹脂、ポリカーボネート樹脂等をあげることができる。
【発明の効果】
【００１３】
本願請求項１記載の発明に係る軒樋ゴミ除け装置においては、ゴミ除けカバーと雨水透過体とからなるゴミ除け部が吊具本体の上面に立設される支持体に着脱自在に取り付けられているため、必要に応じて取り外し、軒樋の掃除や軒樋のメンテナンス等を行うことができる。
【００１４】
また、上記雨水透過体は上記ゴミ除けカバーの屋外側端部から延設され、軒樋前耳部に架設されるとともに、透水手段を有しているため、この透水手段が軒樋に直接降り掛かる雨水に混入するゴミや、屋根に降り掛かり、軒先から軒樋に流れ落ちる雨水に同伴するゴミを阻止し、雨水のみを軒樋内に流入させることができる。
【００１５】
その結果、落ち葉、枯れ枝、紙片等のゴミが軒樋内に侵入することなく、軒樋の内部に、また、軒樋集水器周辺に堆積することを防げる。そして雨水のみを竪樋等の排水手段にスムースに排出させることができる。
【００１６】
本願請求項２記載の発明に係る軒樋ゴミ除け装置においては、特に、上記ゴミ除け部を構成する雨水透過体が上記ゴミ除けカバーの屋外側端部から着脱自在に延設され、軒樋前耳部に架設されてなるため、ゴミ除けカバーで十分に落ち葉や枯れ枝、紙切れ等のゴミが軒樋に侵入することを防止できる場合等、あえて雨水透過体を装着する必要がない場合や、メンテナンスのため軒樋の内部を掃除するときに、雨水透過体をゴミ除けカバーから簡単に取り外すことができる。
【００１７】
本願請求項３記載の発明に係る軒樋ゴミ除け装置においては、特に、上記雨水透過体に設けられる透水手段を透孔とし、その径を落ち葉、枯れ枝、紙片等よりも小さくすることにより、上記ゴミが透孔で遮られ、雨水のみを軒樋の内部へ透過して流入させることができる。
【００１８】
本願請求項４記載の発明に係る軒樋ゴミ除け装置においては、特に、上記雨水透過体に設けられる透水手段を網目とし、ベース板を加工して網目構造とするとともに、網目の大きさを、落ち葉、枯れ枝、紙片等よりも小さくすることにより、上記ゴミが網目で遮られ、雨水のみを軒樋の内部へ透過して流入させることができる。
【００１９】
本願請求項５記載の発明に係る軒樋ゴミ除け装置においては、特に、上記網目を弾性樹脂からなるプラスチック板を加工して設けることにより、プラスチック板が容易に弾性変形し、また弾性復帰するため、ゴミ除けカバーの屋外側端部と軒樋の前耳部との間隔に合わせてプラスチック板を曲げてその幅を調節し、上記曲げられた部分を前耳部に弾接して架設することができる。そして、軒樋の全長に亘ってゴミの入る隙間をなくして雨水透過体を延設することができる。
【発明を実施するための最良の形態】
【００２０】
以下、本願発明にかかる軒樋ゴミ除け装置の第１実施形態について図面を参照して詳細に説明する。図１は、上記第１実施形態にかかる軒樋ゴミ除け装置Ａを、その一部を断面で示す側面図である。図２は、図１に示される支持体２にゴミ除け部３を着脱自在に取り付ける状態を、要部を拡大して示す分解説明図である。
【００２１】
図１に示すように、上記軒樋ゴミ除け装置Ａは、軒樋吊具１の吊具本体１１の上面に立設される支持体２と該支持体２に着脱自在に取り付けられるゴミ除け部３とからなり、このゴミ除け部３はゴミ除けカバー３１と雨水透過体３２とから構成されている。また、上記支持体２は、ゴミ除けカバー３１の屋外側端部３１１を係止する前側係止部２１とゴミ除けカバー３１の屋内側端部３１２を係止する後側係止部２２とを有している。
【００２２】
図１、図２に示すように、上記雨水透過体３２は透水手段としての多数の透孔４を有し、雨水透過体３２の屋内側端部３２２は、ゴミ除けカバー３１の屋外側端部３１１の上面に接着、ビス留め等の公知の手段により固着され、このようにして、雨水透過体３２は、ゴミ除けカバー３１の屋外側端部３１１から延設される。一方、図１に示すように、上記雨水透過体３２の屋外側端部３２１は軒樋７の前耳部７１との間に隙間を設けることなく架設される。
【００２３】
上記のようにゴミ除け部３を構成することにより、軒樋７に直接降り掛かる雨水に同伴するゴミは、ゴミ除けカバー３１で阻止され、ゴミ除けカバー３１の勾配に沿って雨水と共に雨水透過体３２の上面に達し、雨水のみが透孔４から軒樋７内に流入する。ここで、透孔４の径を、落ち葉、枯れ枝、紙片等よりも小さくすることにより、上記ゴミは透孔４を透過することなく遮られ、雨水のみが透孔４から軒樋７内に流入する。
【００２４】
屋根に降り掛かり、軒先６から軒樋７に流れ落ちる雨水に同伴するゴミも上記と同様にして雨水透過体３２の透孔４で遮られ、雨水のみが透孔４から軒樋７内に流入する。このようにして、落ち葉、枯れ枝、紙片等のゴミは軒樋７に侵入することを阻止されるため、軒樋７の内部に、また、図外軒樋集水器周辺にゴミが堆積することがなく、軒樋７を流れる雨水は図外竪樋にスムースに排出される。
【００２５】
図３は、上記支持体２にゴミ除け部３を着脱自在、かつ、ゴミ除け部３を構成するゴミ除けカバー３１と雨水透過体３２とを着脱自在とした構成を示す分解説明図である。図３に示すように、この実施形態においては、ゴミ除けカバー３１の屋外側端縁は係止部３１３とされ、この係止部３１３と雨水透過体３２の屋内側端部３２２とは着脱自在に係合する。このようにすることにより、ゴミ除けカバー３１で十分にゴミの侵入を防止でき、あえて雨水透過体３２を装着する必要がない場合や、メンテナンスのため軒樋７の内部を掃除するときに、雨水透過体３２をゴミ除けカバー３１から簡単に取り外すことができる。      
【００２６】
図４は、雨水透過体３２として弾性樹脂からなるプラスチック板を加工して網目５を設けた本願発明の第２実施形態に係る軒樋ゴミ除け装置Ｂを、その一部を破断して示す説明図である。図４に示すように、上記プラスチック板に設けられた網目５の大きさを、落ち葉、枯れ枝、紙片等よりも小さくすることにより、上記ゴミが網目５を透過することなく遮られ、雨水のみが網目５から軒樋７内に流入する。
【００２７】
ここで、プラスチック板は容易に弾性変形し、また弾性復帰するため、ゴミ除けカバー３１の屋外側端部３１１と軒樋７の前耳部７１との間隔に合わせて網目５を有するプラスチック板を曲げ、その幅を調節することができる。また、上記曲げられた部分が軒樋７の前耳部７１に弾接して架設されるため、軒樋７の全長に亘って前耳部７１との間に隙間なく雨水透過体３２を延設することができる。
【００２８】
そして、落ち葉、枯れ枝、紙片等のゴミが軒樋７に侵入することを防ぎ、軒樋７の中に、また、図外軒樋集水器周辺にゴミが堆積することを防止し、雨水のみを図外竪樋にスムースに排出させることができる。なお、上記弾性樹脂からなるプラスチック板に限られず弾性を有する金属、例えば、ステンレススティールを加工して網目５を設けてもよい。このように、本願発明は設計変更自在であり、特許請求の範囲を逸脱しない限り本願発明の技術的範囲に属する。
【図面の簡単な説明】
【００２９】
【図１】本願発明の第１実施形態に係る軒樋ゴミ除け装置を、その一部を断面で示す側面図。
【図２】本願発明の第１実施形態に係る支持体にゴミ除け部を着脱自在に取り付ける状態を、要部を拡大して示す分解説明図。
【図３】本願発明の第１実施形態に係る支持体にゴミ除け部を着脱自在、かつ、ゴミ除け部を構成するゴミ除けカバーと雨水透過体とを着脱自在とした構成を示す分解説明図。
【図４】本願発明の第２実施形態に係る軒樋ゴミ除け装置を、その一部を破断して示す説明図。
【符号の説明】
【００３０】
Ａ      第１実施形態にかかる軒樋ゴミ除け装置
Ｂ      第２実施形態にかかる軒樋ゴミ除け装置
１      軒樋吊具
１１    吊具本体
２      支持体
２１    前側係止部
２２    後側係止部
３      ゴミ除け部
３１    ゴミ除けカバー
３１１  屋外側端部
３１２  屋内側端部
３１３  係止部
３２    雨水透過体
３２１  屋外側端部
３２２  屋内側端部
４      透孔
５      網目
６      軒先
７      軒樋
７１    前耳部
【図１】
2009257010.tif 000003
【図２】
2009257010.tif 000004
【図３】
2009257010.tif 000005
【図４】
2009257010.tif 000006